(57)【要約】【課題】捕虫器において、煩雑なメンテナンスを行うことなく虫を捕獲できるようにする。【解決手段】捕虫器１は、虫２を吸引するための開口４１を有した外郭４と、開口４１から外郭４内に虫２を吸引する吸引部５と、開口４１と吸引部５との間に設けられ虫２を捕獲するための捕獲部６と、捕獲部６により捕獲された虫２を排出する排出部８と、排出部８を駆動させる駆動部９を備える。捕獲部６は、開口４１から吸引部５に向かうに連れて内径が漸減する穴６１を有する。排出部８は、捕獲部６の後方から穴６１に抜き差し自在であって、虫２を開口４１側に排出する。吸引部５により吸引される虫２を穴６１に捕獲し、虫２が該吸引により穴６１の狭小部分で挟圧されてから、駆動部９による抜き差し動作により虫２を排出する。これにより、虫２が穴６１から確実に除去され、捕獲部６の目詰まりを防止できる。【選択図】図２
2010104242.tif 000002
【特許請求の範囲】
【請求項１】
虫を吸引して捕獲する捕虫器であって、
虫を吸引するための開口を有した外郭と、
前記開口から前記外郭内に虫を吸引する吸引手段と、
前記開口と吸引手段との間に設けられ、該開口から該吸引手段に向かうに連れて内径が漸減する穴を有する、虫を捕獲するための捕獲部と、
前記捕獲部の後方から前記穴に抜き差し自在であって、該穴に捕獲された虫を前記開口側に排出する排出手段と、
前記排出手段を前記穴に抜き差し動作させる駆動手段と、を備えることを特徴とする捕虫器。
【請求項２】
前記排出手段は、前記穴の吸引手段側における内径よりも小径のピンと、前記ピンに植設されたブラシとを有していることを特徴とする請求項１に記載の捕虫器。
【発明の詳細な説明】
【技術分野】
【０００１】
本発明は、虫を吸引して捕獲する捕虫器に関する。
【背景技術】
【０００２】
従来から、この種の捕虫器として、虫を吸引するための開口を有した外郭と、開口から外郭内に虫を吸引する吸引装置と、開口と吸引装置との間に設けられ該装置に吸引される虫を捕獲する捕獲部とを備えたものが知られている。捕獲部は、通気性を有し、且つ虫が通り抜けることができない構造とされ、例えば、ネット等で構成される。
【０００３】
しかしながら、上述のような従来の捕虫器においては、虫の捕獲に伴って捕獲部に目詰まりが発生し、虫の吸引能力が低下することがあるため、捕獲部を清掃したり、新しいものに交換する等のメンテナンスが必要となる。
【０００４】
ここで、ゴキブリ用の捕獲器具として、掃除機の吸引口に取り付けられ、掃除機の吸引力により吸い込まれる虫を捕獲するノズル型の器具がある（特許文献１参照）。しかし、このような器具においても、吸引能力の低下に伴う上記問題を解決できない。
【特許文献１】特開２００１−３２７２３８号公報
【発明の開示】
【発明が解決しようとする課題】
【０００５】
本発明は、上記問題を解決するためになされたものであり、煩雑なメンテナンスを行うことなく虫を捕獲することができる捕虫器を提供することを目的とする。
【課題を解決するための手段】
【０００６】
上記目的を達成するために請求項１の発明は、虫を吸引して捕獲する捕虫器であって、虫を吸引するための開口を有した外郭と、前記開口から前記外郭内に虫を吸引する吸引手段と、前記開口と吸引手段との間に設けられ、該開口から該吸引手段に向かうに連れて内径が漸減する穴を有する、虫を捕獲するための捕獲部と、前記捕獲部の後方から前記穴に抜き差し自在であって、該穴に捕獲された虫を前記開口側に排出する排出手段と、前記排出手段を前記穴に抜き差し動作させる駆動手段と、を備えるものである。
【０００７】
請求項２の発明は、請求項１に記載の発明において、前記排出手段は、前記穴の吸引手段側における内径よりも小径のピンと、前記ピンに植設されたブラシとを有しているものである。
【発明の効果】
【０００８】
請求項１の発明によれば、排出手段の抜き差し動作により、捕獲部の穴に捕獲された虫を確実に除去することができ、捕獲部の目詰まりを防止できる。従って、捕虫器の捕虫効率を維持するために、捕獲部の清掃や交換等のメンテナンスを行う必要がなくなる。また、捕獲された虫を吸引手段の吸引により穴の狭小部分で挟圧できる。また、虫に電撃を与える電撃式の捕虫器と比較して、耳障りな電撃音等が発生することがなく、虫を静かに捕獲できる。
【０００９】
請求項２の発明によれば、排出手段の抜き差し動作をスムーズに行える上、穴に付着した虫や汚れ等をブラシにより一層確実に除去できる。
【発明を実施するための最良の形態】
【００１０】
本発明の一実施形態に係る捕虫器について図面を参照して説明する。図１、図２は本実施形態に係る捕虫器１の構成を示す。捕虫器１は、ハエや蚊等の害虫を吸引して捕獲するものであって、虫の多い屋外空間や、屋外空間に面した建物内の空間等に設置される。捕虫器１は、虫２を誘引する誘虫源である捕虫用の光源３と、光源３が取り付けられる外郭４とを備える。ここで、外郭４は、光源３から出射される光を出力し、且つ虫２を吸引するための開口４１を有している。また、捕虫器１は、開口４１から外郭４内に虫２を吸引する吸引部５と、吸引部５に吸引される虫２を捕獲するための捕獲部６と、捕獲部６に居る虫２を検知する検知部７と、捕獲部６により捕獲された虫２を排出する排出部８と、排出部８を駆動させる駆動部９と、虫２を受容する虫受け部１０とを備える。
【００１１】
光源３は、紫外線を含有する光を出射する直管形状のランプであり、捕獲部６の前方に横向きにして設けられている。光源３の出射光に含まれる紫外線は、虫の走光曲線又は視感度曲線に基づいて設定されたＵＶ−Ａ（波長が３１５〜３８０ｎｍ）であり、高い誘虫効果を有している。光源３の種類としては、例えば、蛍光ランプや冷陰極ランプ、水銀ランプ、キセノンランプ等が挙げられる。光源３は、安定器１１を介して電源ボックス１２と接続されており、電源ボックス１２は、電源線１３により商用電源と接続される。
【００１２】
外郭４は、上述の各構成部品を収容可能な横長の箱形形状とされ、例えば、アルミ材やアクリル樹脂等を用いて形成される。開口４１は、外郭４の前面に設けられ、光源３の出射光を無駄なく出力できる大きさを有している。外郭４の下部には、吸引部５を取り付けるための外方と連通された窓４２が設けられている。
【００１３】
吸引部５は、モータにより回転駆動されるファンであり、外郭４内の空気を窓４２から排出し、外郭４内に負圧を発生させることにより、虫２を吸引するようになっている。吸引部５の上方には、フィルタ５１が設けられており、吸引部５内に虫２が侵入するのを防止している。吸引部５は、上記のような構成に限られず、エアバキュームポンプで構成されるものであってもよい。吸引部５についても、上記同様に電源ボックス１２と接続される。
【００１４】
捕獲部６は、開口４１と吸引部５との間に設けられており、外郭４内を開口４１側と吸引部５側に仕切る略方形の部材で構成される。捕獲部６は、開口４１から吸引部５に向かうに連れて内径が漸減する複数の穴６１を有している。穴６１の開口４１側における内径は、虫２が容易に通過する寸法に設定され、同吸引部５側における内径は、虫２の腹幅より小さい寸法に設定される。例えば、捕虫器１の捕虫対象をイエバエ、ユスリカとする場合、開口４１側の内径は１０ｍｍ程度で、吸引部５側の内径は０．５〜１ｍｍ程度であることが望ましい。また、捕獲部６の厚みは、２０〜３０ｍｍ程度であることが望ましい。これにより、吸引部５により吸引され、穴６１に侵入してきた虫２は、該吸引により穴６１の狭小部分で捕獲又は挟圧される。捕獲部６には、軽量で且つ耐食性のあるアルミ材やステンレス材、アクリル樹脂等が用いられる。
【００１５】
検知部７は、アクティブ型の赤外線センサで構成されており、赤外線を投光する発光部７１と、投光された赤外線を受光する受光部７２とが、捕獲部６前方に互いに対向するよう設けられている。検知部７は、穴６１に侵入する虫２をカウントし、虫２の数量が一定量を超えたときに吸引部５を停止させる。また、検知部７は上記のような構成に限られず、捕獲部６の前面をカメラにより撮像し、その画像データに基づき、穴６１に捕獲された虫２の数量をカウントするような構成であってもよい。また、捕獲部６前方の圧力と捕獲部６後方の圧力を測定し、互いの測定値の差分に基づき虫２の数量を算出するようなものであってよい。
【００１６】
排出部８は、捕獲部６の後方から穴６１に抜き差し自在であって、穴６１に捕獲された虫２を開口４１側に排出するものである。駆動部９は、排出部８を前後動させて穴６１に抜き差し動作させるものであり、モータ９１と、モータ９１の回転により可動するネジ式のジャッキ９２とを有している。ジャッキ９２の基端側９２ａは外郭４の内壁に固定され、同受動側９２ｂは排出部８の後部に固定される。モータ９１についても、上記同様に電源ボックス１２と接続される。駆動部９は、検知部７からの停止信号により吸引部５が停止したときに、排出部８の抜き差し動作を開始する。駆動部９は、上記のような構成に限られず、油圧シリンダで構成されるものであってもよい。
【００１７】
虫受け部１０は、捕獲部６前方の外郭４下側部分に設けられており、排出部８により穴６１から排出される虫２を受容する。虫受け部１０は、受容した虫２をユーザが廃棄できるように、外郭４に対して着脱自在とされている。虫受け部１０は、吸引部５の動作状況に応じて自動開閉する蓋１４を有している。蓋１４は、吸引部５の運転時には閉状態となり、吸引部５の停止時には開状態となる。
【００１８】
ここで、図３（ａ）、（ｂ）を参照して排出部８について詳述する。排出部８は、略方形のベース８１と、ベース８１に突設され捕獲部６の穴６１（図２参照）に挿通される複数のピン８２と、ピン８２に植設されたブラシ８３とを有している。ピン８２は、穴６１の吸引部５側における内径よりも小径で、且つ尖形状とされている。ピン８２の長さは、捕獲部６の厚みより大きい寸法に設定される。ブラシ８３は、ピン８２の全周に渡って植え付けられており、穴６１に挿通し易いよう、ピン８２の先端から後端に向かう方向に傾斜している。ブラシ８３の植毛寸法ｓは、穴６１の開口４１側における内径と同程度の寸法に設定される。ブラシ８３には柔軟な毛材が用いられ、例えば、アクリル繊維、ナイロン繊維、フッソ繊維、ガラス繊維、ポリエチレン繊維、豚毛等が挙げられる。
【００１９】
上記のように構成された捕虫器１の作用について図４及び上述の図２を参照して説明する。図４（ａ）乃至（ｄ）は、虫２が捕獲部６の穴６１に捕獲され、その後、穴６１から排出される様子を時系列に示す。まず、図４（ａ）に示すように、排出部８は初期状態にあり、ピン８２が穴６１に挿通されていないものとする。捕虫器１の電源が投入されると、光源３が点灯すると共に吸引部５が運転を開始する。図４（ｂ）に示すように、光源３からの光により誘引され、外郭４内に侵入した虫２は、吸引部５により穴６１から吸引され、穴６１の狭小部分に押し込められる。その結果、虫２は、該吸引により狭小部分で挟圧される。穴６１に捕獲された虫２が増加すると、検知部７が吸引部５に停止信号を送出する。
【００２０】
吸引部５が停止すると、駆動部９は、図４（ｃ）に示すように、排出部８を前進させてピン８２を穴６１に挿通させる。捕獲された虫２は穴６１から排出され、併せて、ブラシ８３が穴６１の壁面全体に接触し、穴６１に付着した汚れが除去される。吸引部５の停止に伴って、虫受け部１０の蓋１４が開状態となり、排出された虫２は、落下して虫受け部１０に受容される。駆動部９は、図４（ｄ）に示すように、ピン８２が穴６１に完全に挿通されると、初期状態になるまで排出部８を後退させる。排出部８が初期状態に復帰すると、吸引部５が再度運転を開始する。このとき、蓋１４は閉状態となり、虫受け部１０に収容された虫２の死骸が吸引部５に吸引されるのを防止する。
【００２１】
以上、本実施形態に係る捕虫器１によれば、排出部８の抜き差し動作により、捕獲部６の穴６１に捕獲された虫２を確実に除去することができ、捕獲部６の目詰まりを防止できる。従って、捕虫器１の捕虫効率を維持するために、捕獲部６の清掃や交換等のメンテナンスを行う必要がなくなる。また、捕獲された虫２を吸引部５の吸引により穴６１の狭小部分で挟圧できる。また、虫に電撃を与える電撃式の捕虫器と比較して、耳障りな電撃音等が発生することがなく、虫２を静かに捕獲できる。また、排出部８の抜き差し動作をスムーズに行える上、穴６１に付着した虫２や汚れ等をブラシ８３により一層確実に除去できる。
【００２２】
なお、本発明は、上記実施形態の構成に限られず、発明の趣旨を変更しない範囲で種々の変形が可能である。例えば、上述の実施形態では誘虫源として光源３を用いた例を示したが、これに限られず、誘虫効果のある匂い源や音源等を用いてもよい。匂い源としては、捕獲する虫の性フェロモンや集合フェロモン、虫の餌となる動植物抽出物、これらに類似する匂いを有するもの等が挙げられる。音源としては、虫の羽ばたき音のような超音波成分を含んだ音を発するものが挙げられる。また、ＣＯ２発生装置により虫を誘引するようにしてもよい。
【図面の簡単な説明】
【００２３】
【図１】本発明の一実施形態に係る捕虫器の斜視図。
【図２】上記捕虫器の側断面図。
【図３】（ａ）は上記捕虫器の排出部の斜視図、（ｂ）は同排出部のピン及びブラシの斜視図。
【図４】（ａ）は虫を吸引する前の初期状態を示す図、（ｂ）は虫を捕獲部の穴に捕獲した状態を示す図、（ｃ）は捕獲した虫を穴から排出する状態を示す図、（ｄ）は排出部が穴に完全に差し込まれた状態を示す図。
【符号の説明】
【００２４】
１  捕虫器
２  虫
４  外郭
４１  開口
５  吸引部（吸引手段）
６  捕獲部
６１  穴
８  排出部（排出手段）
８２  ピン
８３  ブラシ
９  駆動部（駆動手段）
【図１】
2010104242.tif 000003
【図２】
2010104242.tif 000004
【図３】
2010104242.tif 000005
【図４】
2010104242.tif 000006